(57)【要約】      （修正有）【課題】気圧センサを活用することができる携帯機器、並びに携帯機器の制御プログラム及び制御方法を提供する。【解決手段】携帯電話機は、表示部１１と、操作部１２と、レシーバ１３と、マイク１４と、通信部１５と、加速度センサ１６と、気圧センサ１７と、記憶部１８と、制御部１９とを備え、携帯電話機の制御部１９は、気圧センサ１７が検出する気圧信号の変化を、加速度センサ１６が検出する加速度信号に基づいて、高度変化および気圧変化のいずれであるかを判別する。【選択図】図１
2015004578.tif 000002
【特許請求の範囲】
【請求項１】
気圧センサが検出する気圧信号の変化を、加速度センサが検出する加速度信号に基づいて、高度変化および気圧変化のいずれであるかを判別する制御部を備える、携帯機器。
【請求項２】
前記制御部は、
加速度センサが検出した加速度信号に基づいて、加速状態を判別し、
判別した前記加速状態に基づいて、前記気圧信号の変化を高度変化および気圧変化のいずれであるかを判別する、
請求項１に記載の携帯機器。
【請求項３】
前記制御部は、前記加速度センサが検出した加速度信号の振幅に基づいて、前記気圧センサが検出した前記気圧信号の変化が高度変化であると判別する期間を変更する、
請求項１または２に記載の携帯機器。
【請求項４】
前記制御部は、
前記加速度センサが第１の値よりも大きい振幅の加速度信号を検出したと判別すると、
前記気圧センサが第１の期間に検出する前記気圧信号の変化が高度変化であると判別する、
請求項１から３のいずれかに記載の携帯機器。
【請求項５】
前記制御部は、
前記加速度センサが第２の値よりも大きい振幅の加速度信号を検出中であると判別すると、
前記気圧センサが検出している前記気圧信号の変化が高度変化であると判別する、
請求項１から４のいずれかに記載の携帯機器。
【請求項６】
前記制御部は、
前記加速度センサが、第１の値よりも大きい振幅の加速度信号を検出したと判別すると、前記気圧センサが第１の期間に検出する前記気圧信号の変化が高度変化であると判別し、
前記加速度センサが第２の値よりも大きい振幅の加速度信号を検出中であると判別すると、前記気圧センサが検出している前記気圧信号の変化が高度変化であると判別し、
前記第１の値は、第２の値に比べて大きい、
請求項１から３のいずれかに記載の携帯機器。
【請求項７】
気圧センサが検出する気圧信号の変化を、加速度センサが検出する加速度信号に基づいて、高度変化および気圧変化のいずれであるかを判別する、携帯機器の制御プログラム。
【請求項８】
気圧センサが検出する気圧信号の変化を、加速度センサが検出する加速度信号に基づいて、高度変化および気圧変化のいずれであるかを判別する、携帯機器の制御方法。
【発明の詳細な説明】
【技術分野】
【０００１】
本発明は、携帯機器、並びに携帯機器の制御プログラム及び制御方法に関する。
【背景技術】
【０００２】
携帯機器には、気圧センサを備えるものがある。気圧センサを備える携帯機器は、例えば、特許文献１に記載されている。この特許文献１に記載された携帯機器では、大気圧の測定に気圧センサが利用されている。
【先行技術文献】
【特許文献】
【０００３】
【特許文献１】特開２００３−２８９６７号公報
【発明の概要】
【発明が解決しようとする課題】
【０００４】
本発明は、気圧センサを活用することができる携帯機器、並びに携帯機器の制御プログラム及び制御方法を提供することを目的とする。
【課題を解決するための手段】
【０００５】
本発明の実施形態に係る携帯機器は、気圧センサが検出する気圧信号の変化を、加速度センサが検出する加速度信号に基づいて、高度変化および気圧変化のいずれであるかを判別する制御部を備える。
【０００６】
本発明の実施形態に係る携帯機器の制御プログラムは、気圧センサが検出する気圧信号の変化を、加速度センサが検出する加速度信号に基づいて、高度変化および気圧変化のいずれであるかを判別する。
【０００７】
本発明の実施形態に係る携帯機器の制御方法は、気圧センサが検出する気圧信号の変化を、加速度センサが検出する加速度信号に基づいて、高度変化および気圧変化のいずれであるかを判別する。
【発明の効果】
【０００８】
本発明によれば、気圧センサを活用することができることができる。
【図面の簡単な説明】
【０００９】
【図１】図１は、携帯電話機の構成を示すブロック図である。
【図２】図２は、加速度センサの検出結果を模式的に示す図である。
【図３】図３は、気圧センサの検出結果を模式的に示す図である。
【図４】図４は、携帯電話機の動作の流れについての説明に供するフローチャートである。
【発明を実施するための形態】
【００１０】
本発明を実施するための実施形態を、図面を参照しつつ詳細に説明する。以下では、電子機器の一例として、携帯電話機１について説明する。
【００１１】
携帯電話機１は、図１に示すように、表示部１１と、操作部１２と、レシーバ１３と、マイク１４と、通信部１５と、加速度センサ１６と、気圧センサ１７と、記憶部１８と、制御部１９とを備える。
【００１２】
表示部１１は、情報を表示する部位である。表示部１１は、表示デバイスにより構成されている。表示デバイスとしては、液晶ディスプレイ（Liquid Crystal Display）、又は有機ＥＬパネル（Organic Electro-Luminescence panel）等が挙げられる。表示部１１には、文字、画像、記号、又は図形等が表示される。
【００１３】
操作部１２は、利用者からの操作を受け付ける部位である。本実施形態の携帯電話機１は、操作部１２として、種々の操作ボタン、スイッチ、またはタッチスクリーンを備える。操作部１２としてタッチスクリーンを備える場合、表示部１１と一体となったタッチスクリーンディスプレイを備えてもよい。
【００１４】
レシーバ１３は、制御部１９から送信される音声信号を音声に変換して出力する。
【００１５】
通信部１５は、アンテナと、ＲＦ回路部とを備える。通信部１５は、複数の無線通信規格それぞれに対応した通信方式によって通信を行う。通信部１５は、２Ｇ、３Ｇ、及び４Ｇ等のセルラーフォンの通信規格、又は無線ＬＡＮシステムによる通信を可能とする。通信部１５は、無線ＬＡＮシステムである、ＩＥＥＥ８０２．１１に準拠している無線通信システム、例えば、ＷｉＦｉ（登録商標）の無線通信システムによる通信を可能とする。なお、通信部１５は、ＷｉＭＡＸ（登録商標）の無線通信システムによる通信を行ってもよい。アンテナ及びＲＦ回路部は、複数の通信方式それぞれに対応して複数設けられている。本実施形態では、通信部１５は、ＷｉＦｉにより通信を行うものとして説明を進める。
【００１６】
加速度センサ１６は、携帯電話機１に働く加速度の方向及び大きさを検出し、検出結果を制御部１９に加速度信号として出力する。制御部１９は、加速度センサ１６が出力した加速度信号を受信する。本実施形態では、加速度センサ１６として、Ｘ軸方向、Ｙ軸方向及びＺ軸方向の加速度を検出する３Ｇ（３次元）タイプを採用する。
【００１７】
なお、加速度センサ１６は、例えば、ピエゾ抵抗型、静電容量型により構成されるものとするが、これに限らない。例えば、加速度センサ１６は、圧電素子（圧電式）、熱検知型によるＭＥＭＳ（Micro Electro Mechanical Systems）式、可動コイルを動かしてフィードバック電流によってもとに戻すサーボ式、又は加速度によって生じる歪を歪ゲージによって測定する歪ゲージ式等により構成されてもよい。
【００１８】
気圧センサ１７は、携帯電話機１に働く外気圧の大きさを検出し、検出結果を制御部１９に気圧信号として出力する。制御部１９は、気圧センサ１７が出力した気圧信号を受信する。
【００１９】
記憶部１８は、例えば、制御部１９による演算処理に利用され、メモリ等によって構成される。記憶部１８は、携帯電話機１の内部で動作するアプリケーションを１又は複数記憶する。なお、記憶部１８は、着脱可能な外部メモリを兼ねていてもよい。
【００２０】
制御部１９は、携帯電話機１の全体を制御しており、ＣＰＵ（Central Processing Unit）、ＭＰＵ（Micro-Processing Unit）等を用いて構成される。
【００２１】
以下に、制御部１９による加速度センサ１６の検出結果の処理について説明する。
【００２２】
制御部１９には、図２に示すように、Ｘ軸方向の加速度信号（図２中のＡ）と、Ｙ軸方向の加速度信号（図２中のＢ）と、Ｚ軸方向の加速度信号（図２中のＣ）と、３軸方向の加速度信号を合成したベクトル値（図２中のＤ）とが加速度センサ１６の検出結果として送信されてくる。制御部１９は、合成ベクトル値をロギングする。制御部１９は、ロギングしたデータを分析して、携帯電話機１の加速状態を判別する。ロギングした合成ベクトルは、記憶部１８に記憶される。
【００２３】
制御部１９が、携帯電話機１の加速状態を判別するにあたり、加速度パターンを用いる。加速度パターンは、例えば、予め記憶部１８に記憶されている。加速度パターンは、利用者の停止状態及び複数の移動状態毎に対応付けられている。加速度パターンには、停止状態及び複数の移動状態において、どのような加速度パターンが加速度センサ１６により特徴的に検出されるのかを、予め計測し、抽出しておいたパターンである。この加速度パターンには、携帯電話機１の利用者が停止状態にある場合、携帯電話機１の利用者が歩行により移動している加速状態にある場合、携帯電話機１の利用者が自転車に乗車して移動している加速状態にある場合、または携帯電話機１の利用者が自動車および電車などの乗り物で移動している加速状態にある場合等がある。
【００２４】
本実施形態においては、例えば、停止状態及び複数の移動状態毎に加速度パターンが予め記憶部１８に記憶されている。加速度パターンは、上述した合成ベクトル値のロギングしたデータに対応するように記憶される。制御部１９は、上述した合成ベクトル値のロギングしたデータと、加速度パターンとを比較することにより、携帯電話機１の加速状態を判別する。
【００２５】
なお、制御部１９は、停止状態の加速度パターンに替えて、加速度センサ１６によって検出された加速度が所定値未満である場合を停止状態にあると判別してもよい。制御部１９は、停止状態の加速度パターンに替えて、上述の合成ベクトル値のロギングしたデータが複数の移動状態のいずれにも一致しない場合を停止状態にあると判別してもよい。
【００２６】
以下に、制御部１９による気圧センサ１７の検出結果の処理について説明する。制御部１９による気圧センサ１７の検出結果の処理は、制御部１９が制御プログラムを実行することによって実現される。制御部１９は、制御プログラムを実行することによって、以下の制御方法を実現する。
【００２７】
制御部１９には、気圧センサ１７の検出結果として気圧信号が送信されてくる。制御部１９は、気圧信号をロギングする。制御部１９は、気圧信号の変化を分析して、携帯電話機１の高度変化を判別する。ロギングした気圧信号は、記憶部１８に記憶される。
【００２８】
制御部１９は、気圧センサ１７が出力した気圧信号の変化を、高度変化に伴う気圧変化として処理することが可能である。例えば、１ヘクトパスカル（ｈＰａ）の気圧変化は、１０メートル（ｍ）の高度変化に相当するとして制御部１９によって判断される。
【００２９】
制御部１９は、気圧信号の変化を、大気圧の変化であるとの判断から、高度変化に伴う変化であるとの判断に、判断を変更したときの気圧信号の値を基準とする。この基準となる気圧信号の値からの差分を、制御部１９は、高度変化に伴う気圧変化として処理する。言い換えると、制御部１９は、基準となる気圧信号の値からの差分を、高度変化に換算する。制御部１９は、気圧信号の変化を高度変化として処理する際に基準となる気圧信号の値を変更することによって、大気圧の変化に柔軟に対応することができる。制御部１９は、気圧信号の変化から高度変化に換算すると、換算した高度変化を現在の高さに対する差として順次加算する。換算した高度変化を現在の高さに対する差として順次加算すると、制御部は、高度変化が加算された高さを現在の高さとして処理する。制御部１９は、換算した高度変化を現在の高さに対する差として順次加算することで、アップダウンを伴う移動であっても高度の推移に柔軟に対応することができる。
【００３０】
制御部１９は、高度変化の推移を高低差ログとして記憶部１８に記憶する。記憶部１８に記憶された高低差ログは、この高低差ログは、単位期間ごとに新たな基準高さから開始される。携帯電話機１では、単位期間ごとに新たな基準高さから高低差ログを開始することによって、高度変化のずれが累積されるのを低減することができる。この単位期間としては、１２時間、１日、１週間などの期間が挙げられる。この単位期間は、高低差ログをひと続きのデータとして表示する単位と一緒にすることが好ましい。
【００３１】
制御部１９は、気圧センサ１７の検出すた気圧信号に変化があった場合に、気圧信号の変化が高度変化に伴う気圧変化および大気圧の変化のいずれであるかを判別する。
【００３２】
図３は、気圧センサの検出結果を模式的に示す図である。図３（ａ）に、気圧センサ１７が検出した気圧の経時に伴う変化を図示する。図３（ａ）では、時間を横軸にとり、気圧を縦軸にとる。ここでは、時間として秒（ｓｅｃ）を採用し、気圧信号としてヘクトパスカル（ｈＰａ）を採用した。図３（ａ）に示した気圧の経時に伴う変化を、制御部１９が高度変化に伴う気圧変化とした場合の高度変化を図３（ｂ）に図示する。図３（ｂ）では、時間を横軸にとり、高度を縦軸にとる。ここでは、時間として秒（ｓｅｃ）を採用し、高度としてメートル（ｍ）を採用した。図３（ａ）に示した気圧の経時に伴う変化を、制御部１９が大気圧の変化に伴う気圧変化とした場合の高度変化を図３（ｃ）に示す。図３（ｃ）では、図３（ｂ）同様に、時間を横軸にとり、高度を縦軸にとる。ここでも、時間として秒（ｓｅｃ）を採用し、高度としてメートル（ｍ）を採用した。携帯電話機１では、気圧センサ１７が検出した気圧の経時に伴う変化を、高度変化に伴う気圧変化か、大気圧の変化に伴う気圧変化かを判断する。
【００３３】
制御部１９は、気圧信号の変化を分析するときに、加速状態を参照する。言い換えると、制御部１９は、加速度センサ１６が検出した加速度信号に基づいて、気圧信号の変化を分析する。制御部１９は、加速度センサ１６が検出した加速度信号に基づいて、気圧信号の変化が高度変化および気圧変化のいずれであるかを判別する。
【００３４】
制御部１９は、加速状態に基づいて携帯電話機１が停止状態であると判別すると、気圧センサ１７が検出した気圧信号の変化が大気圧の変化として判別する。制御部１９は、加速状態に基づいて携帯電話機１が移動状態であると判別すると、気圧センサ１７が検出した気圧信号の変化が高度変化に伴う変化として判別する。制御部１９がかかる制御を採用することによって、本実施形態の携帯電話機１は、移動に伴う気圧信号の変化であるか否かを好適に判別することができる。
【００３５】
制御部１９は、加速状態に基づいて気圧センサ１７が気圧信号を取得する取得周期を変更する。制御部１９は、加速状態が移動状態であると判別すると、気圧センサ１７が気圧信号を取得する取得周期を、判別した移動状態に応じて変更する。制御部１９は、判別した移動状態の移動速度が早い状態であるほど、気圧センサ１７が気圧信号を取得する取得周期を短くする。例えば、制御部１９は、加速状態に基づいて歩いていると判断した場合の取得周期に比べて、走っていると判断した場合の取得周期を短くする。例えば、制御部１９は、加速状態に基づいて走っていると判断した場合の取得周期に比べて、自転車に乗って移動していると判断した場合の取得周期を短くする。例えば、制御部１９は、加速状態に基づいて自転車に乗って移動していると判断した場合の取得周期に比べて、自動車および電車などの乗り物で移動していると判断した場合の取得周期を短くする。制御部１９は、加速状態に基づいて移動状態であると判別した場合の取得周期に比べて、停止状態であると判別した場合の取得周期を長くする。制御部１９は、加速状態に基づいて停止状態であると判断した場合に、気圧センサ１７が気圧信号を取得しない構成を採用してもよい。気圧センサ１７が気圧信号を取得しない構成としては、気圧センサ１７に気圧信号を取得するトリガとなるトリガ信号を入力しない構成と、気圧センサ１７への電源供給しない構成とが採用可能である。
【００３６】
上述の構成では、制御部１９が加速状態に基づいて気圧センサ１７が気圧信号を取得する取得周期を変更する構成を採用したが、かかる構成に限定されるものではない。
【００３７】
制御部１９は、加速状態に基づいて気圧センサ１７が気圧信号を出力する出力周期を変更してもよい。制御部１９が出力周期を変更する構成を採用する場合に、出力周期を判別した移動状態に応じて変更する構成を採用してもよい。制御部１９が出力周期を変更する構成を採用する場合に、出力周期を停止状態であると判断した場合に移動状態であると判断した場合に比べて長くしてもよい。制御部１９が出力周期を変更する構成を採用する場合に、制御部１９は、加速状態に基づいて停止状態であると判断した場合に、気圧センサ１７が気圧信号を出力しない構成を採用してもよい。気圧センサ１７が気圧信号を出力しない構成としては、気圧センサ１７に気圧信号を出力させるトリガとなるトリガ信号を入力しない構成と、気圧センサ１７への電源供給しない構成とが採用可能である。
【００３８】
制御部１９は、加速状態に基づいて気圧センサ１７が出力した気圧信号の入力を受ける受信周期を変更してもよい。制御部１９が受信周期を変更する構成を採用する場合に、受信周期を判別した移動状態に応じて変更する構成を採用してもよい。制御部１９が受信周期を変更する構成を採用する場合に、受信周期を停止状態であると判断した場合に移動状態であると判断した場合に比べて長くしてもよい。制御部１９が受信周期を変更する構成を採用する場合に、制御部１９は、加速状態に基づいて停止状態であると判断した場合に、気圧センサ１７が気圧信号を受信しない構成を採用してもよい。
【００３９】
制御部１９は、加速状態に基づいて気圧センサ１７が検出した気圧信号の変化を判断する判断周期を変更してもよい。制御部１９が判断周期を変更する構成を採用する場合に、採用した周期を判別した移動状態に応じて変更する構成を採用してもよい。制御部１９が判断周期を変更する構成を採用する場合に、判断周期を停止状態であると判断した場合に移動状態であると判断した場合に比べて長くしてもよい。制御部１９が判断周期を変更する構成を採用する場合に、制御部１９は、加速状態に基づいて停止状態であると判断した場合に、気圧センサ１７が気圧信号の変化を判断しない構成を採用してもよい。
【００４０】
制御部１９が取得周期、出力周期、受信周期、および判断周期のいずれかを変更する構成を採用することによって、携帯電話機１は、気圧信号の変化が高度変化であるかを好適に判別しつつ、高度変化を好ましい周期で判断することができる。制御部１９が取得周期、出力周期、受信周期、および判断周期のいずれかを変更する構成を採用することによって、携帯電話機１は、消費する電力の低減を図ることが可能となる。
【００４１】
制御部１９には、加速度センサ１６の検出結果として加速度信号が送信されてくる。制御部１９は、加速度信号をロギングする。ロギングした加速度信号は、記憶部１８に記憶される。制御部１９は、加速度信号の変化を分析して、加速度信号の振動振幅を判別する。ここでは、加速度信号の振動振幅として、単位時間におけるピークピーク値を採用する。この単位時間としては、例えば、数秒程度の期間が挙げられる。制御部１９は、加速度信号の振動振幅として、ピークピーク値を採用することによって、加速度の直流成分の変化に柔軟に対応することができる。
【００４２】
制御部１９は、加速度センサ１６が検出した加速度信号の振動振幅に基づいて、気圧センサ１７が検出した気圧信号の変化が高度変化であると判別する期間を変更する。制御部１９は、加速度センサ１６が検出した加速度信号の振動振幅が第１の値よりも大きいと判別すると、第１の時間が経過するまでの第１の期間に検出する気圧信号の変化が高度変化であると判別する。制御部１９は、利用者の移動開始に伴って生じるような比較的大きな加速度信号の変化を検出すると、当該加速度信号の変化を検出したときから所定期間の気圧信号の変化を高度変化として処理する。
【００４３】
制御部１９は、加速度センサ１６が検出している加速度信号の振動振幅が第２の値よりも大きいと判別すると、気圧センサ１７が検出している気圧信号の変化を高度変化であると判別する。制御部１９は、第２の値よりも振動振幅が大きい加速度信号であると判別しているあいだ、気圧センサ１７が検出している気圧信号の変化を高度変化であると判別する。この第２の値は、第１の値に比べて小さい。制御部１９は、利用者の移動に伴って継続的に生じるような加速度信号の変化を検出すると、当該加速度信号の変化を検出しているときの気圧信号の変化を高度変化として処理する。
【００４４】
本実施形態の制御部１９は、気圧信号の変化が高度変化に伴う気圧変化であると判断した後の気圧信号の変化を、高度変化に伴う気圧変化として処理する構成を採用した携帯電話機１は、制御部１９が判断した後に得た信号の変化を処理する構成を採用することによって、制御を簡素にすることができる。携帯電話機１は、制御が簡素になると、簡素な構成によって機能を実現することができる。
【００４５】
携帯電話機１の動作の流れについて、図４に示すフローチャートを参照しながら説明する。なお、以下の実施例では、加速状態の判別をリアルタイムに行うものとして説明する。携帯電話機１は、この実施例に限らず、加速状態の判別を所定時間おきに行うようにしてもよい。
【００４６】
ステップＳＴ１０１において、制御部１９は、加速度センサ１６の検出した検出結果に基づいて、加速状態が移動状態であるか否かを判別する。制御部１９は、この判別がＹＥＳの場合、ステップＳＴ１０５に処理を移す。制御部１９は、この判別がＮＯの場合、ステップＳＴ１０２に処理を移す。このステップＳＴ１０１において、制御部１９は、加速度センサ１６が検出した加速度信号に基づいて、停止状態および移動状態のいずれの加速状態であるかを判別して、処理を移すステップを変更する。
【００４７】
ステップＳＴ１０２において、制御部１９は、加速度センサ１６が検出した加速度信号の振幅が第２の値よりも大きいか否かを判別する。制御部１９は、この判別がＹＥＳの場合、ステップＳＴ１０５に処理を移す。制御部１９は、この判別がＮＯの場合、ステップＳＴ１０３に処理を移す。
【００４８】
ステップＳＴ１０３において、制御部１９は、加速度センサ１６が検出した加速度信号の振幅が第１の期間に第１の値よりも大きくなった否かを判別する。制御部１９は、この判別がＹＥＳの場合、ステップＳＴ１０５に処理を移す。制御部１９は、この判別がＮＯの場合、ステップＳＴ１０４に処理を移す。このステップＳＴ１０３において、制御部１９は、加速度信号の振幅が第１の値より大きいと判別したときから第１の時間が経過する第１の期間であるかを判別して、処理を移すステップを変更する。
【００４９】
ステップＳＴ１０４において、制御部１９は、気圧センサ１７が検出した気圧信号の変化を大気圧の変化として処理する。ステップ１０４の処理が完了すると、制御部１９は、この制御フローによる処理を完了させる。このステップＳＴ１０４において、制御部１９は、気圧センサ１７が検出した気圧信号の値を、現在の大気圧として記憶部１８に記憶する。現在の大気圧として記憶部１８に記憶された値は、気圧信号の変化を高度変化に伴う変化として処理する際の基準となる。
【００５０】
ステップＳＴ１０５において、制御部１９は、気圧センサ１７が検出した気圧信号の変化を高度変化に伴う変化として処理する。ステップ１０５の処理が完了すると、制御部１９は、この制御フローによる処理を完了させる。
【００５１】
本実施形態の制御部１９は、この制御フローを繰り返すことによって、気圧信号の変化が大気圧の変化であるか、高度変化に伴う気圧変化であるかを判別する。制御部１９は、この制御フローを繰り返すことによって、気圧信号の変化を高度変化として反映させることが可能となる。
【００５２】
この制御フローは、ステップＳＴ１０１〜ＳＴ１０３のうち少なくとも１つを含んでいればよく、２つ以下のステップを省略してもよい。
【００５３】
この制御フローでは、ステップＳＴ１０１、ステップＳＴ１０２、ステップＳＴ１０３を順次処理した。制御部１９は、ステップＳＴ１０１〜ＳＴ１０３を同時に実行し、いずれか一つでもＹＥＳと判定されれば、気圧信号の変化を高度変化に伴う変化として処理するように構成されていてもよい。
【００５４】
以上、本発明の実施形態について説明したが、本発明は上述した実施形態に限るものではない。本発明による効果は、上述の実施形態に記載されたものに限定されるものではない。
【００５５】
上述の実施形態では、加速度センサ１６により検出された加速度に基づいて、携帯電話機１の加速状態が、停止状態及び複数の移動状態のいずれかであるか判別したが、これに限られない。例えば、携帯電話機１は、ＧＰＳ（Global Positioning System）を用いて、携帯電話機１の位置を計測し、携帯電話機１の単位時間（所定時間）あたりの変位量から携帯電話機１が停止状態及び複数の移動状態のいずれかであるかを判別してもよい。
【００５６】
上述の実施形態では、制御部１９は、気圧信号の変化が高度変化に伴う気圧変化であると判断した後の気圧信号の変化を、高度変化に伴う気圧変化として処理する構成を採用したが、これに限られない。制御部１９は、気圧信号の変化が高度変化に伴う気圧変化であると判断したときの気圧信号の変化から、高度変化に伴う気圧変化として処理する構成を採用してもよい。携帯電話機１は、制御部１９が判断したときの気圧信号の変化から高度変化に伴う気圧変化として処理する構成を採用することによって、高度変化をより正確に反映させることができる。携帯電話機１は、制御部１９が判断したときの気圧信号の変化から高度変化に伴う気圧変化として処理するべく、記憶部１８にロギングしたデータを処理する構成を採用してもよく、気圧信号の変化を一時的に記憶するバッファを構成を採用してもよい。
【符号の説明】
【００５７】
１  携帯電話機
１６  加速度センサ
１７  気圧センサ
１９  制御部
【図１】
2015004578.tif 000003
【図２】
2015004578.tif 000004
【図３】
2015004578.tif 000005
【図４】
2015004578.tif 000006